(57)【特許請求の範囲】
【請求項１】
内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルを施錠位置まで回動可能とする解除機構を構成し、上記クレセント錠の台座に衝撃を感知する衝撃センサを設けたことを特徴とするサッシ。
【請求項２】
内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルを施錠位置まで回動可能とする解除機構を構成し、上記クレセント錠の台座に、上記ハンドルに設けた被検知体を介して施解錠状態を検知する施解錠センサを設けると共に衝撃を感知する衝撃センサを設け、これら施解錠センサおよび衝撃センサ側を子機とし、子機から施解錠センサおよび衝撃センサの信号を親機に送信して集中管理を行うように構成したことを特徴とするサッシ。
【請求項３】
内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠の台座に、上記ハンドルに設けた被検知体を介して施解錠状態を検知する施解錠センサを設け、この施解錠センサを子機とし、子機から施解錠センサの信号を親機に送信して集中管理を行うように構成したことを特徴とするサッシ。
【発明の詳細な説明】
【０００１】
【発明の属する技術分野】
本発明は、防犯性の向上を図ったサッシに関する。
【０００２】
【従来の技術】
防犯性の向上を図ったサッシとしては、例えば特開平２−２７４９８２号公報、特開平２−２７４９８３号公報、実開平４−１０３２８３号公報等に記載されているものが知られている。これらのサッシにおいては、引き違い式のガラス戸を閉鎖位置で施解錠するクレセント錠にその施解錠状態を検知するマイクロスイッチ等のセンサを設けている。
【０００３】
また、上記センサからの信号をワイヤレスで伝送し、受信側ではその信号に基づいて警報等を発するようにしている。従って、上記サッシによれば、ガラス戸が不正に開放される前にクレセント錠の不正解錠を検知することができるので、不正侵入に対して速やかに対処することが可能となる。
【０００４】
【発明が解決しようとする課題】
しかしながら、上記サッシにおいては、クレセント錠の不正解錠を検知できるが、その時点では既にクレセント錠が不正解錠されてしまっているため、防犯性が十分であるとはいえない。
【０００５】
そこで、本発明の目的は、錠が不正解錠される前の段階で不正侵入行為を検知することができ、防犯性の一層の向上が図れるサッシを提供することにある。
【０００８】
【課題を解決するための手段】
請求項１に係る発明は、内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠に衝撃を感知する衝撃センサを設けたことを特徴とする。
【０００９】
請求項２に係る発明は、内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠の台座に、上記ハンドルに設けた被検知体を介して施解錠状態を検知する施解錠センサを設けると共に衝撃を感知する衝撃センサを設け、これら施解錠センサおよび衝撃センサ側を子機とし、子機から施解錠センサおよび衝撃センサの信号を親機に送信して集中管理を行うように構成したことを特徴とする。
【００１０】
請求項３に係る発明は、内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠の台座に、上記ハンドルに設けた被検知体を介して施解錠状態を検知する施解錠センサを設け、この施解錠センサを子機とし、子機から施解錠センサの信号を親機に送信して集中管理を行うように構成したことを特徴とする。
【００１２】
【実施の形態】
以下に、本発明の実施の形態を添付図面に基づいて詳述する。
【００１３】
図２において、１は引き違い式のサッシで、建物の開口に取り付けられる方形に組み立てられた枠２を有している。この枠２内には、ガラス戸である内障子３と外障子４がスライド開閉可能に取り付けられている。内障子３および外障子４は、上框５ａ，６ａ、下框５ｂ，６ｂおよび両側の縦框５ｃ，５ｄ，６ｃ，６ｄにより方形に組み立てられた框体５，６の内側にガラス７を嵌めて構成されている。
【００１４】
上記内障子３の召合せ側の縦框（召合せ框ともいう）５ｃには、障子３，４を閉鎖位置で施解錠する錠として、図３ないし図４にも示すようにハンドル８の回動操作により回動しつつ外障子４側に延出する掛け部（フック部）９を有するクレセント錠１０が取り付けられ、外障子４の召合せ側の縦框（召合せ框ともいう）６ｃには上記掛け部９が係合するクレセント受け１１が取り付けられている。上記掛け部９は、剛性を有する板材、好ましくは金属板からなる取付基板１２を有し、この取付基板１２の一部を略円弧状に折り曲げ加工して形成されている。上記クレセント受け１１は、剛性を有する板材、好ましくは金属板からなり、先端が内障子３側にＵ字状に折り曲げられ、且つ上記掛け部９が係合しやすいように断面円弧状に加工された受部１３を有している。
【００１５】
上記クレセント錠１０には、そのハンドル８の施錠方向への所定角度以上の回動を阻止する回動阻止機構１４が設けられると共に、上記内障子３と外障子４が正常閉鎖位置にあるときに上記ハンドル８の回動により上記クレセント受け１１に当接する反力で上記回動阻止機構１４を解除する解除機構１５が設けられている。これらの構造について更に具体的に説明すると、上記クレセント錠１０は、これを内障子３の召合せ框５ｃの端面に取り付けるための箱状の台座１６を有し、この台座１６には上記ハンドル８に設けられた回動軸１７を回動可能に支持する孔部１８が設けられている。
【００１６】
上記ハンドル８の基部には、上記回動軸１７が直角に突設されており、この回動軸１７にはキー１９が突設されている。上記掛け部９の取付基板１２には、上記ハンドル８のキー１９を含む回動軸１７が嵌合するキー溝２０付きの嵌合穴２１が設けられ、取付基板１２を含む掛け部９がハンドル８と一体に回動するようになっている。また、上記台座１６には、上記回動軸１７のキー１９を収容し、このキー１９を介してハンドル８の回動を一定範囲、図示例では図７にも示すように下向きから上向きまでの略１８０度の範囲に規制する回動規制溝２２が設けられている。
【００１７】
上記クレセント錠１０の掛け部９を含む回動側には、揺動可能な揺動体２３が設けられ、この揺動体２３の一端を固定側に設けられた係止部２４に係止させてハンドル８の所定角度以上の回動を阻止すると共に、内障子３と外障子４が正常閉鎖位置にあるときに上記ハンドル８の回動で上記揺動体２３の他端が上記クレセント受け１１、具体的にはその受部１３に当接する反力で上記揺動体２３の一端と係止部２４の係止状態を解除するように構成されている。
【００１８】
すなわち、回動側である上記掛け部９の取付基板１２とハンドル８には、上記揺動体２３の支軸２５が嵌合する孔部２６，２７が設けられ、取付基板１２とハンドル８の間には、剛性を有する板材、好ましくは金属板からなる上記揺動体２３が支軸２５を介して揺動可能に取り付けられている。上記揺動体２３の一端には台座１６側へ突出した爪部２８が形成され、揺動体２３の他端には上記クレセント受け１１の受部１３に当接される感知部としての当接面部２９が形成されている。
【００１９】
上記揺動体２３の支軸２５には、上記爪部２８を取付基板１２の一部に係止させ、上記当接面部２９を掛け部９の始端側に保持するように付勢する復帰バネ３０が取り付けられている。また、固定側である台座１６には、ハンドル８を下向きの解除位置イから施錠方向へ所定角度（当接面部２９がクレセント受け１１の受部１３に当接するのに必要な回動角度、例えば７０度程度）回動すると、上記揺動体２３の爪部２８を係止して、ハンドル８のそれ以上の回動を阻止する係止部２４が設けられている（図５参照）。すなわち、上記揺動体２３の爪部２８および係止部２４によって上記回動阻止機構１４が構成されている。
【００２０】
上記揺動体２３は、内外の障子３，４が正常閉鎖位置にあるときにハンドル８を解錠位置イから施錠方向へ回動すると、当接面部２９がクレセント受け１１の受部１３に当接し、更に復帰バネ３０の付勢力に抗して支軸２５を支点に掛け部９の内側後方へ倒れ、その反力ないし反作用で爪部２８が取付基板１２および上記係止部２４から離反し、回動阻止状態が解除されるようになっている。すなわち、上記揺動体２３の当接面部２９によって上記回動阻止機構１４を解除する解除機構１５が構成されている。上記回動阻止状態が解除されることにより、ハンドル８を上向きの施錠位置ロまで回動することができる（図６参照）。上記台座１６には、上記係止部２４から離反された爪部２８を上記当接面部２９が倒れた状態を維持するように案内する案内部３１が設けられている。
【００２１】
上記台座１６の内部において、上記ハンドル８の回動軸１７の端部には抜け止め用の端板３２がネジ３３で取り付けられ、この端板３２にはハンドル８の回動に伴ってハンドル８を解錠位置イ方向もしくは施錠位置ロ方向へ選択的に付勢するバネ３４が取り付けられている。また、台座１６内には、施錠位置ロにおいて、上記端板３２に形成された係合溝３５に着脱可能に係合する係合片３６を有するロック部材３７が摺動可能に設けられ、このロック部材３７に突設された摘み３８の操作でクレセント錠１０を施錠位置にロックすることができるように構成されている。
【００２２】
一方、図１に示すように上記クレセント錠１０には、その施解錠状態を検知する施解錠センサ３９および衝撃を感知する衝撃センサ４０が設けられている。上記施解錠センサ３９は、リードスイッチからなり、ハンドル８の自由端側内側面部にはマグネットからなる被検知体４１が設けられている。
【００２３】
上記施解錠センサ３９は、クレセント錠１０の台座１６におけるハンドル８が施錠位置ロに位置したときの上記被検知体４１と対向する位置に配置されている。これにより、図１の（ａ）に仮想線で示すようにハンドル８を施錠位置ロに回動したときに上記施解錠センサ３９がオンとなることで施錠状態を検知し、同図に実線で示すようにハンドル８を解錠位置イに回動したときにオフとなることで解錠状態を検知するようになっている。
【００２４】
上記衝撃センサ４０は、衝撃等の機械的歪が作用したときに電圧を発生する圧電フィルム、具体的にはポリフッ化ビニリデンの圧電プラスチックフィルム（カイナー圧電フィルムとも称する）を用いたセンサ（これを圧電フィルムセンサという）からなり、上記施解錠センサ３９の近傍に上記障子３，４のガラス７面と平行に配置されている。これにより、クレセント錠１０近傍のガラス７が割られるときに生じる衝撃を上記衝撃センサ４０が感度よく、より確実に感知することができるようになっている。
【００２５】
上記施解錠センサ３９および衝撃センサ４０側を子機４２とし、建物の全ての窓等のサッシに設けられた子機４２に対して親機４３（図９参照）によりワイヤレスの遠隔操作で集中管理を行なうために、次のような構成が採用されている。上記台座１６の上側は、内障子３の召合せ框５ｃの長手方向に沿った縦長のケーシング４４として例えばプラスチックにより形成されており、このケーシング４４内に基板４５が設けられている。上記基板４５は、召合せ框５ｃの端面側にこれと平行に配置され、この基板４５上の下側に上記施解錠センサ３９が設けられると共に、これと隣接して上記衝撃センサ４０の取付基板４６がガラス７面と平行になるよう垂直に起立して設けられ、この取付基板４６にこれと平行に上記圧電フィルムセンサからなる衝撃センサ４０が一端の電極４０ａを介して取付けられている。
【００２６】
また、上記基板４５には、図８にも示すように送受信制御回路を有する制御部４７（図１には図示省略）、アンテナ（アンテナ線）４８ａおよび送受信駆動回路を有するＲＦ（無線周波数）モジュール４８、これらの電源であるの電池４９等が設けられている。上記施解錠センサ３９および衝撃センサ４０の信号は、制御部４７に入力され、ＲＦモジュール４８を介して親機４３に送信されるようになっている。
【００２７】
上記制御部４７には、警報音を発するブザー等のアラーム５０およびＬＥＤ等の発光素子５１が接続されており（図１には図示省略）、親機４３側をセット状態にすると、発光素子５２が点滅して警戒態勢に入ったことが確認できるようになっている。上記基板４５に設けられた施解錠センサ３９、衝撃センサ４０、ＲＦモジュール４８、電池４９等は、上記ケーシング４４内に収容されており、ケーシング４４には電池４９の交換を行うための電池カバー４４ａが着脱可能に設けられている。
【００２８】
一方、集中制御装置である親機４３は、図９に示すようにアンテナ５２ａおよび送受信駆動回路を有するＲＦモジュール５２、送受信制御回路を有する制御部５３、これらの電源（例えば商用電源）５４等を備えている。この親機４３の制御部５３には、各子機４２の施解錠状態を表示するＬＥＤ等の発光素子からなる施解錠状態表示部５５、警報音を発するブザー等のアラーム５６、電話回線を介して外部へ通報する外部通報手段５７、セット・リセットスイッチ５８等が接続されている。
【００２９】
上記セット・リセットスイッチ５８は、外出時や就寝時等に親機４３をセット状態にしたり、あるいはセット状態を解除（アラーム５０，５６の停止を含む）する手動スイッチである。上記親機４３の制御部５３は、例えば施解錠状態表示部５５が全て施錠状態を表示しているときにのみ、セット・リセットスイッチ５８をオンすることでセット状態（警戒態勢）に入るように設定されている。
【００３０】
また、このセット状態において、上記衝撃センサ４０が衝撃を感知した信号または施解錠センサ３９が解錠状態を検知した信号により、子機４２および親機４３のアラーム５０，５６が作動する（警報を発する）ように設定されている。なお、上記親機４３の制御部５３には、衝撃センサ４０がガラス７の割れる衝撃以外の不要な振動等を拾わないように感度を調整する感度調整手段が設けられていることが好ましい。
【００３１】
次に、以上のように構成されたサッシの作用について述べる。通常、クレセント錠１０は、内障子３および外障子４を閉鎖してから施錠するのであるが、内障子３および外障子４の閉鎖が不十分な状態、或いは内障子３や外障子４が開放された状態で誤って施錠操作を行なってしまう場合がある。このような場合、クレセント錠１０のハンドル８を図５の（ａ）、（ｂ）に示すように解錠位置イから施錠方向に回動操作すると、揺動体２３の当接面部２９がクレセント受け１１の受部１３に当接しないため、揺動体２３の爪部２８が台座１６側の係止部２４に係止され、ハンドル８の回動が阻止される。従って、ハンドル８をそれ以上施錠方向へ回動することができないため、誤って施錠を行なうことが未然に防止される。
【００３２】
また、ハンドル８を解放すると、ハンドル８がバネ３４によって解除位置イに自動的に戻るため、クレセント錠１０の掛け部９が施錠方向に延出したままになることがない。従って、その後、内障子３や外障子４を開閉しても、上記掛け部９と外障子４の縦框６ｄ等が衝突して変形または損傷するようなことはなく、耐久性の向上が図れる。
【００３３】
一方、上記内障子３および外障子４が正常閉鎖位置にある場合には、図６の（ａ）、（ｂ）に示すようにクレセント錠１０のハンドル８を解錠位置イから施錠方向へ回動操作すると、上記ハンドル８の回動に伴って掛け部９および揺動体２３の当接面部２９がクレセント受け１１に接近し、更に図６の（ｃ）に示すように当接面部２９がクレセント受け１１の受部１３に当接して復帰バネ３０の付勢力に抗して支軸２５を支点に倒れ、その反力ないし反作用で揺動体２３の爪部２８が台座１６側の係止部２４から離反する。
【００３４】
従って、上記揺動体２３の爪部２８が係止部２４に係止されず、すなわち回動阻止機構１４が解除された状態となるため、図６の（ｄ）に示すようにハンドル８をそのまま施錠位置ロまで回動することが可能となり、掛け部９をクレセント受け１１の受部１３に十分に係合させて確実に施錠することができる。また、上記係止部２４から離反した爪部２８はそのまま案内部３１に沿って案内されることにより、揺動体２３の当接面部２９が倒れたままの状態を維持される。
【００３５】
クレセント錠１０を解錠する場合には、ハンドル８を施錠位置ロから解錠方向へ回動操作すればよく、上記とは逆の順序で掛け部９および揺動体２３の当接面部２９がクレセント受け１１から離反され、揺動体２３の当接面部２９がクレセント受け１１の受部１３に引っ掛かることがなく、確実且つ容易に解錠することができる。
【００３６】
このように上記クレセント錠１０は、ハンドル８の回動を利用して内障子３と外障子４が正常閉鎖位置にあるか否かを機械的に感知することができ、正常閉鎖位置にあるときにのみハンドル８を施錠方向に十分に回動して確実に施錠することができるようになっている。上記クレセント錠１０の施解錠状態は、台座１６のケーシング４４に設けられた施解錠センサ３９によって検知されており、施解錠センサ３９が施錠状態を検知していれば、必ず障子３，４が正常閉鎖位置でクレセント錠１０により確実に施錠されている状態にある。
【００３７】
上記クレセント錠１０の施解錠状態は、施解錠センサ３９により検知され、制御部４７およびＲＦモジュール４８を介して無線信号で親機４３に送信され、これを親機４３がＲＦモジュール５２および制御部５３を介して受信し、施解錠状態表示部５５に表示する。外出時や就寝時等に親機４３をセット状態にする場合には、全ての子機４２からの信号により施解錠状態表示部５５が全て施錠状態を表示していることを確認して、セット・リセットスイッチ５８をオンにすればよい。
【００３８】
セット状態になると、セット状態になったことが親機４３から子機４２に送信され、これにより子機４２の発光素子５１が点滅し、セット状態になっていることが確認される。また、上記セット状態になることにより、各子機４２の衝撃センサ４０および施解錠センサ３９を介する警戒態勢に入る。従って、不正侵入を企てる者が、施錠状態にあるサッシのクレセント錠１０を解錠操作するために、先ずクレセント錠１０近傍の障子３，４のガラス７を割って穴を開けようとすると、その際に発生する衝撃が上記衝撃センサ４０によって感知されることになる。
【００３９】
上記衝撃センサ４０が衝撃を感知した信号により、その子機４２のアラーム５０が作動すると共に、子機４２からの信号を受信して親機４３のアラーム５６も作動する。また、親機４３から外部通報手段５７を介して外部にも通報される。上記子機４２のアラーム５０の作動によって、不正侵入を企てる者を怯ませて不正侵入行為を中止させることができる。
【００４０】
仮に、不正侵入行為を続行しようとしても、クレセント錠１０を解錠操作する前の段階であり、これから室内に侵入するまでには時間があるため、その不正侵入行為に対して十分に対処することが可能である。上記アラーム５０，５６の作動を停止する場合および上記セット状態を解除する場合には、上記セット・リセットスイッチ５８をオフにすればよい。
【００４１】
このように上記サッシによれば、建物の開口に枠２を介して開閉可能に設けられるガラス戸障子３，４に、これを閉鎖位置で施解錠する錠としてのクレセント錠１０を設け、このクレセント錠１０に衝撃を感知する衝撃センサ４０を一体に設けたので、上記クレセント錠１０の近傍のガラス７が割られるときに生じる衝撃を上記衝撃センサ４０で確実に感知することが可能となり、クレセント錠１０が不正解錠される前の段階で不正侵入行為を検知することができ、防犯性のより一層の向上が図れる。
【００４２】
また、クレセント錠１０の台座１６に、ハンドル８に設けた被検知体４１を介して施解錠状態を検知する施解錠センサ３９を設けると共に上記衝撃センサ４０を設けているため、施錠状態を確認してから衝撃センサ４０による警戒態勢に入るというような構成を採ることが可能となると共に、上記施解錠センサ３９および衝撃センサ４０を台座１６にユニット化して設けることが可能となり、コンパクト化が図れる。
【００４３】
特に、上記クレセント錠１０が、障子３，４が正常閉鎖位置にあるか否かを機械的に感知して正常閉鎖位置にあるときにのみ施錠することが可能な機構をハンドル８自身に備えているため、このような機構を例えば特開平２−２７４９８２号公報に記載されているように電気的、光学的あるいは磁気的に構成した場合と異なり、クレセント受け１１側には何等細工を施す必要がなく、施解錠センサ３９および衝撃センサ４０を含む電気的部分を上記機構から切り離して一箇所にまとめることができ、上記ユニット化およびコンパクト化を容易に図ることができる。
【００４４】
また、上記衝撃センサ４０が圧電フィルムセンサからなり、この圧電フィルムセンサが上記ガラス戸障子３，４のガラス７面と平行に配置されているため、ガラス７が割られるときに生じる衝撃を感度よく、より確実に感知することが可能となる。
【００４５】
以上、本発明の実施の形態を図面により詳述してきたが、本発明は上記実施の形態に限定されるものではなく、本発明の要旨を逸脱しない範囲での種々の設計変更等が可能である。例えば、上記実施の形態では本発明を引き違い式のサッシに適用した場合が示されているが、本発明は引き違い式以外の例えば、すべり出し窓や片開き式等の開閉可能なガラス戸を有する各種のサッシにも適用可能である。また、錠としては、クレセント錠に限られず、カムラッチ等であってもよい。
【００４６】
上記衝撃センサとしては、圧電フィルムセンサが好ましいが、圧電フィルムセンサ以外の加速度センサ等であってもよい。また、施解錠センサとしては、リードスイッチが好ましいが、マイクロスイッチ等であってもよい。更に、上記実施の形態では、障子の正常施錠位置を機械的に感知する機構を備えたクレセント錠が示されているが、クレセント錠または錠は必ずしもこのような機構を備えている必要はない。
【００４７】
【発明の効果】
以上要するに本発明によれば、次のような優れた効果が得られる。
【００５０】
（１）請求項１に係る発明によれば、内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠に衝撃を感知する衝撃センサを設けているため、クレセント錠は障子が正常閉鎖位置にあるか否かを機械的に感知して正常閉鎖位置にあるときにのみ施錠することができると共に、衝撃センサを有することにより錠が不正解錠される前の段階で不正侵入行為を検知することができ、防犯性の一層の向上が図れる。
（２）請求項２に係る発明によれば、内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠の台座に、上記ハンドルに設けた被検知体を介して施解錠状態を検知する施解錠センサを設けると共に衝撃を感知する衝撃センサを設け、これら施解錠センサおよび衝撃センサ側を子機とし、子機から施解錠センサおよび衝撃センサの信号を親機に送信して集中管理を行うように構成したので、クレセント錠は障子が正常閉鎖位置にあるか否かを機械的に感知して正常閉鎖位置にあるときにのみ施錠することができると共に、施解錠センサおよび衝撃センサを有することにより錠が不正解錠される前の段階で不正侵入行為を検知することができ、防犯性の一層の向上が図れる。
（３）請求項３に係る発明によれば、内障子の召合せ側の縦框にハンドルの回動により回動しつつ外障子側へ延出する掛け部を有するクレセント錠を設け、外障子の召合せ側の縦框に上記掛け部が係合するクレセント受けを設け、上記掛け部を含む回動側に、揺動可能な揺動体を設け、この揺動体の一端をクレセント錠の固定側である台座に設けられた係止部に係止させることにより上記ハンドルの施錠方向への所定角度以上の回動を阻止する回動阻止機構を構成すると共に、上記内障子と外障子が正常閉鎖位置にあるときに上記ハンドルの回動により上記揺動体の他端が上記クレセント受けに当接する反力で上記揺動体の一端と係止部の係止状態を解除してハンドルが施錠位置まで回動可能とする解除機構を構成し、上記クレセント錠の台座に、上記ハンドルに設けた被検知体を介して施解錠状態を検知する施解錠センサを設け、この施解錠センサを子機とし、子機から施解錠センサの信号を親機に送信して集中管理を行うように構成したので、クレセント錠は障子が正常閉鎖位置にあるか否かを機械的に感知して正常閉鎖位置にあるときにのみ施錠することができると共に、施解錠センサを有することにより錠が不正解錠される前の段階で不正侵入行為を検知することができ、防犯性の一層の向上が図れる。
【図面の簡単な説明】
【図１】本発明の実施の形態であるサッシにおけるクレセント錠部分を示す図で、（ａ）は斜視図、（ｂ）は一部断面斜視図である。
【図２】室内側から見たサッシの正面図である。
【図３】図２のＡ−Ａ線拡大断面図である。
【図４】図１のクレセント錠の分解斜視図である。
【図５】クレセント錠の作動を示す説明図である。
【図６】クレセント錠の作動を示す説明図である。
【図７】クレセント錠の背面図である。
【図８】子機側の構成を示すブロック図である。
【図９】親機側の構成を示すブロック図である。
【符号の説明】
１  サッシ
２  枠
３，４  障子（ガラス戸）
７  ガラス
１０  クレセント錠（錠）
３９  施解錠センサ
４０  衝撃センサ
４１  被検知体
【図１】
0003841466.tif 000002
【図２】
0003841466.tif 000003
【図３】
0003841466.tif 000004
【図４】
0003841466.tif 000005
【図５】
0003841466.tif 000006
【図６】
0003841466.tif 000007
【図７】
0003841466.tif 000008
【図８】
0003841466.tif 000009
【図９】
0003841466.tif 000010